(57)【要約】【課題】回転盤の間欠回転に伴い、一定容量の粒状物を計量カップに充填し、計量カップの上端ですり切り（計量）し、続いて計量カップから排出して容器に充填する回転式計量充填装置において、表面が濡れた粒状物を一定容量計量し、かつ水切りした上で容器内に排出、充填できるようにする。【解決手段】回転盤２に計量カップ１５が等角度間隔で設置され、固定盤３に排出開口１８と複数個の排水口１９が等角度間隔で形成されている。回転盤が停止したとき、タンク１の流出口１２の直下に計量カップが位置し、その計量カップの直下に排水口の１つが位置し、その計量カップより回転盤の回転方向の下流側に位置する複数の計量カップの直下に、排水口及び排出開口が位置する。前記流出口より下流側において、回転盤の上に配置されて計量カップの上面を覆い、計量カップ内に上方から加圧エアを吹き込む加圧エア供給部材４が設置されている。【選択図】図１
2017030859.tif 000002
【特許請求の範囲】
【請求項１】
粒状物を貯留し、下端に流出口を備えたタンクと、上下に開口する複数個の孔が回転軸を中心とする円に沿って等角度間隔で形成され、前記角度ずつ一方向に水平面内で間欠回転する回転盤と、前記回転盤の下に配置され、排出開口が形成された固定盤と、前記回転盤の各孔に設置された底が開放した計量カップを備え、前記回転盤の間欠回転に伴い、前記流出口の直下に停止した計量カップにタンク内に貯留された粒状物が流入し、計量カップに充填された粒状物が該計量カップの上端ですり切りされ、前記排出開口を通して下方に排出され容器に充填される回転式計量充填装置において、前記タンク内に注水する注水部材が設置され、前記固定盤に前記粒状物の通過を阻む大きさの多数の小孔を有する複数個の排水口が形成され、前記排出開口と排水口が前記回転軸を中心とする円に沿って等角度間隔で形成され、前記排出開口及び排水口の角度間隔が前記回転盤に形成された孔の角度間隔と同じであり、前記排水口は前記排出開口より回転盤の回転方向の上流側に位置し、前記回転盤が停止したとき、前記流出口の直下に位置する計量カップの直下に前記排水口の１つが位置し、前記流出口の直下に位置する計量カップより回転盤の回転方向の下流側に位置する複数の計量カップの直下に前記排水口及び排出開口が位置することを特徴とする回転式計量充填装置。
【請求項２】
前記流出口より下流側でかつ前記排出開口より上流側の範囲において、前記回転盤の上に配置されて前記計量カップの上面を覆い、前記計量カップ内に上方から加圧エアを吹き込む加圧エア供給部材が設置されていることを特徴とする請求項１に記載された回転式計量充填装置。
【請求項３】
前記加圧エア供給部材は、前記粒状物の通過を阻む大きさの多数の通気孔が形成された通気部を有し、前記通気部が加圧エア供給源に連結され、前記通気部を通して前記計量カップ内に加圧エアが吹き込まれることを特徴とする請求項２に記載された回転式計量充填装置。
【請求項４】
前記固定盤の排水口の下方に前記排水口から流下する水を受ける排水受け部材が設置され、前記排水受け部材は下部に排水流出口を有し、前記排水流出口が配管を介して真空ポンプに連結され、前記真空ポンプを作動させて前記排水受け部材から排水することを特徴とする請求項１〜３のいずれかに記載された回転式計量充填装置。
【請求項５】
前記注水部材が前記タンク内に貯留される粒状物の内部に位置することを特徴とする請求項１〜４のいずれかに記載された回転式計量充填装置。
【請求項６】
前記注水部材が複数の噴射口を有し、タンク外から下方に鉛直に延びる回転軸部材の下端に設置され、前記回転軸部材と共に回転することを特徴とする請求項５に記載された回転式計量充填装置。
【請求項７】
前記回転軸部材に別の注水部材が設置され、前記回転軸部材の回転に伴い前記タンク内に貯留される粒状物の上で旋回し、タンク内に向け注水することを特徴とする請求項６に記載された回転式計量充填装置。
【請求項８】
前記排出開口の上方位置に、昇降可能で下降したとき前記排出開口の直上に停止した計量カップ内に嵌入して前記計量カップ内の粒状物を下方に排出する押し込み部材が設置されていることを特徴とする請求項１〜７のいずれかに記載された回転式計量充填装置。
【発明の詳細な説明】
【技術分野】
【０００１】
本発明は、粒状物（例えばコメ）の容量を計量し、定量の粒状物を容器（袋を含む）内に充填するために用いられる回転式計量充填装置、特に表面が濡れた粒状物を容器内に充填するために用いられる回転式計量充填装置に関する。
【背景技術】
【０００２】
特許文献１には、内部に送り出し用のスクリューが設置され、傾斜した流下壁（漏斗状の側壁）の下端部に円筒状の流出口を有するタンクと、上下に開口する孔が形成され、前進及び後退する移動盤と、移動盤の下方位置に配置され、多数の小孔が形成された固定盤と、移動盤の孔に設置され、底が開放し、側壁に多数の小孔が形成された計量カップと、移動盤の前進端に設置された押し込み部材を備える移動式計量充填装置が記載されている。固定盤及び計量カップに形成された小孔は、いずれも液体は通すが被計量物は通さないサイズとされる。この移動式計量充填装置によれば、移動盤が後退したときタンクの流出口の直下に計量カップが停止し、ここで計量カップ内にタンク内に貯留された被計量物が充填され（計量され）、かつ水切りされ（被計量物の水分が前記小孔から流出）、続いて移動盤が前進するとき、計量カップに満たされた被計量物が該計量カップの上端で（タンクの流出口の下端で）すり切りされ、移動盤の前進端において押し込み部材により計量カップから下方に排出され、ホッパーを介して袋内に充填される。
【０００３】
特許文献２には、特許文献１に記載された移動式計量充填装置の移動盤に代えて、上下に開口する複数個の孔が回転軸を中心とする円に沿って等角度間隔で形成され、前記角度ずつ一方向（時計方向）に水平面内で間欠回転する回転盤を備えた回転式計量充填装置が記載されている。この回転式計量充填装置によれば、回転盤の間欠回転に伴い、タンクの流出口の直下に計量カップが停止し、ここで計量カップ内にタンク内に貯留された被計量物が充填され（計量され）、続いて回転盤が回転するとき、計量カップに満たされた被計量物が該計量カップの上端で（タンクの流出口の下端で）すり切りされ、次に回転盤が停止したとき、被計量物は押し込み部材により計量カップから下方に排出され、ホッパーを介して袋内に充填される。この回転式計量充填装置では、被計量物の計量工程（タンクから計量カップへ被計量物を充填する工程）、及び被計量物の充填工程（計量カップから被計量物を取り出し、容器に充填する工程）が並行して行われることから、特許文献１の移動式計量充填装置に比べて効率的に計量及び充填を行うことができる。
【０００４】
特許文献３には、複数個の容器載置部を等角度間隔で有する回転体と、回転体の上方に設置した回転盤からなる回転式計量充填装置が記載されている。前記回転盤は、被計量物を貯留するタンクと、その下部に等角度間隔で設置された充填筒と、各充填筒の下方に設置された計量カップと、計量カップの上下端に回転しないように設置され、互いに半周の位相差で半円状の長孔を有する上下仕切り板からなる。回転盤の各計量カップの下に回転体の各容器載置部が位置し、回転盤と回転体は一緒に連続回転する。この回転式計量充填装置によれば、回転盤と回転体の回転に伴い、回転盤のタンクに貯留された被計量物は、各充填筒及び上仕切り板の長孔を通して各計量カップに充填され（計量され）、各計量カップに充填された被計量物が上仕切り板によりすり切りされ、続いて各計量カップ内の被計量物は下仕切り板の長孔を通して流下し、容器載置部に載置された容器に充填される。
【０００５】
特許文献４には、傾斜した流下壁（漏斗状の側壁）の下部に屈曲部が形成され、その下端部に流出口を有するタンクと、上下に開口する計量孔が形成された前進及び後退する移動盤と、移動盤の下方位置に配置され、上下に開口する２つの孔が形成された固定盤を備える移動式計量充填装置が記載されている。固定板の１つの孔には網が張られ、その孔は前記流出口の真下に位置している。また、タンク内には水が供給されている。この移動式計量充填装置によれば、移動盤が後退したときタンクの流出口の直下に計量孔が停止し、この計量孔内にタンク内に貯留された被計量物が水と共に流し込まれて充填され（計量され）、続いて移動盤が前進するとき、計量孔に充填された被計量物が該計量孔の上端で（タンクの流出口の下端で）すり切りされ、移動盤の前進端において計量孔から排出され、下方の容器内に充填される。なお、被計量物が計量孔から排出されるとき、上方から計量孔の内周壁に水が注がれ、計量孔の内周壁に付着した被計量物が容器内に洗い流される。
【先行技術文献】
【特許文献】
【０００６】
【特許文献１】実開昭６２−１６０３３４号公報
【特許文献２】実公平１−２０３４３号公報
【特許文献３】登録実用新案第３０２１２６１号公報
【特許文献４】特許第３５６８５７４号公報
【発明の開示】
【発明が解決しようとする課題】
【０００７】
従来の移動式（又は回転式）計量充填装置を用いて、表面が濡れた粒状物（例えば洗米及び浸漬後に水切りしたコメ）を計量カップに充填して計量し、続いて計量カップ内の粒状物を容器に充填する場合、表面が濡れた粒状物は流動性が悪いため、タンクや充填筒（特許文献３参照）の内周壁に付着したり、タンク内部にブリッジが生じたりし、重力のみで定量を円滑に計量カップ内に充填することが困難であり、ひいては定量を確実に容器に充填することが困難であった。
一方、特許文献１，２の計量充填装置を用いた場合、タンク内に送り出し用のスクリューを設置していることから、定量を計量カップに充填することはできるが、スクリューによる粒状物の破損が生じやすいという問題がある。
【０００８】
特許文献３の計量充填装置では、充填筒の内周面に軸方向の微細な凹凸を形成し、又は／及び内周面を摩擦係数の小さい材質（４フッ化エチレン樹脂）で形成しているが、それだけでは、内周面への濡れた粒状物の付着を完全に防止できない。
特許文献４の計量充填装置を用いた場合、タンク内から粒状物が水と共に計量孔（以下、計量カップ）内に流し込まれるため、重力のみで定量の粒状物を計量カップに充填することができる。しかし、タンク内の水が継続して計量カップに注ぎ込まれるため、計量カップ内の水分量が過剰となり、ひいては計量カップから過剰な水分が粒状物と共に容器に入り、かつ水分量が容器ごとにばらつくという問題がある。
【０００９】
本発明は、表面が濡れた粒状物（例えば洗米及び浸漬後の表面が濡れたコメ）を従来の計量充填装置で計量、充填する場合の上記問題点に鑑みてなされたもので、表面が濡れた粒状物を計量カップ内に定量充填し、かつ粒状物を水切りした上で容器内に排出、充填できるようにすることを目的とする。
【課題を解決するための手段】
【００１０】
本発明は、粒状物を貯留し、下端に流出口を備えたタンクと、上下に貫通する複数個の孔が回転軸を中心とする円に沿って等角度間隔で形成され、前記角度ずつ一方向に水平面内で間欠回転する回転盤と、前記回転盤の下に配置され、上下に貫通する排出開口が形成された固定盤と、前記回転盤の各孔に設置された底が開放した計量カップを備え、前記回転盤の間欠回転に伴い、前記流出口の直下に停止した計量カップにタンク内に貯留された粒状物が流入し、計量カップに充填された粒状物が該計量カップの上端ですり切りされ、前記排出開口を通して下方に排出され容器に充填される回転式計量充填装置の改良に係り、前記タンク内に注水する注水部材が設置され、前記固定盤に前記粒状物の通過を阻む大きさの多数の小孔を有する複数個の排水口が形成され、前記排出開口と排水口が前記回転軸を中心とする円に沿って等角度間隔で形成され、前記排出開口及び排水口の角度間隔が前記回転盤に形成された孔の角度間隔と同じであり、前記排水口は前記排出開口より回転盤の回転方向の上流側に位置し、前記回転盤が停止したとき、前記流出口の直下に位置する計量カップの直下に前記排水口の１つが位置し、前記流出口の直下に位置する計量カップより回転盤の回転方向の下流側に位置する複数の計量カップの直下に前記排水口及び排出開口が位置することを特徴とする。
【００１１】
上記回転式計量充填装置は、例えば以下に挙げる好ましい実施の形態をとることができる。
（１）前記流出口より下流側でかつ前記排出開口より上流側の範囲において、前記回転盤の上に配置されて前記計量カップの上面を覆い、前記計量カップ内に上方から加圧エアを吹き込む加圧エア供給部材が設置されている。
（２）上記（１）の場合において、前記加圧エア供給部材は、前記粒状物の通過を阻む大きさの多数の通気孔が形成された通気部を有し、前記通気部が加圧エア供給源に連結され、前記通気部を通して前記計量カップ内に加圧エアが吹き込まれる。
（３）前記排水口の下方に前記排水口から流下する水を受ける排水受け部材が設置され、前記排水受け部材は下部に排水流出口を有し、前記排水流出口が配管を介して真空ポンプに連結され、前記真空ポンプを駆動して前記排水受け部材から排水する。
【００１２】
（４）前記注水部材が前記タンク内に貯留される粒状物の内部に位置する。
（５）上記（４）の場合において、前記注水部材が複数の噴射口を有し、タンク外から下方に鉛直に延びる回転軸部材の下端に設置され、前記回転軸部材と共に回転する。
（６）上記（５）の場合において、前記回転軸部材に別の注水部材が設置され、前記回転軸部材の回転に伴い前記タンク内に貯留される粒状物の上で旋回し、タンク内に向け注水する。
（７）前記排出開口の上方位置に、昇降可能で下降したとき前記排出開口の直上に停止した計量カップ内に嵌入して前記計量カップ内の粒状物を下方に排出する押し込み部材が設置されている。
【発明の効果】
【００１３】
本発明に係る回転式計量充填装置によれば、タンク内に注水しながら計量カップに粒状物を流入させるため、粒状物がタンクの内周壁に付着したり、タンク内でブリッジを形成するのを防止し、計量カップに定量（一定容積）の粒状物を充填することができる。また、計量カップに粒状物と共に入った水は、当該計量カップが排出開口の位置に達するまでの一定時間の間に、重力により排水口を通して流出するから、同計量カップが排出開口の位置に達した時点で、同計量カップ内の粒状物は自然に水切りされた形となる。その結果、粒状物の表面に付着した水分量は減少しかつほぼ一定となり、粒状物は前記排出開口を通して下方に排出され、容器に充填される。
【００１４】
本発明に係る回転式計量充填装置に前記加圧エア供給部材を設置し、粒状物が充填された計量カップに上方から加圧エアを吹き込む場合、計量カップ内の水分は加圧エアにより下方に排出され、粒状物の水切りが積極的に行われる。これにより、重力のみで水切りする場合に比べ、水切りが促進されかつ安定する。すなわち、粒状物の表面に付着した水分量が効率的に減少し、計量カップごとに大きく変動しない。
【図面の簡単な説明】
【００１５】
【図１】本発明に係る回転式計量充填装置の斜視図である。
【図２】図１の装置において計量工程が実施される部分の断面図である。
【図３】図１の装置において水切り工程が実施される部分の断面図である。
【図４】図１の装置において充填工程が実施される部分の断面図である。
【図５】図１の装置において、計量工程が実施される箇所に排水受け部材を設置したときの要部断面図である。
【図６】図１の装置において、水切り工程が実施される箇所に排水受け部材を設置したときの要部断面図である。
【発明を実施するための形態】
【００１６】
以下、図１〜６を参照して、本発明に係る回転式計量充填装置について、具体的に説明する。
図１に示す回転式計量充填装置は、粒状物を貯留するタンク１と、水平面内で一定角度（この例では４５°）ずつ時計方向に間欠的に回転する円盤状の回転盤２と、回転盤２の下方位置に水平に設置された円盤状の固定盤３と、回転盤２の上に設置された加圧エア供給部材４を含む加圧エア供給装置５と、回転盤２の上に設置された粒状物排出装置６と、２つの注水部材７，８を含む注水装置９を備える。
【００１７】
タンク１は、表面が濡れた粒状物（例えば洗米後所定時間水に浸漬して水分を吸収させた後水切りされたコメ）を貯留するもので、傾斜した流下壁（漏斗状の周壁）１１の下端に、筒状の流出口１２が形成されている。
回転盤２は鉛直な回転軸１３を中心として間欠的に回転し、上下に貫通する複数個（この例では８個）の円形の孔１４が、回転軸１３を中心とする円に沿って等角度（回転盤２の一回の回転角度と同じ４５°）間隔で形成されている。回転盤２は、この種の回転式計量充填装置（特許文献２参照）の定法に従い、その上面がタンク１の流出口１２の下面に摺動するか、同下面とごく狭い隙間（粒状物が入らない程度の隙間）を有するように配置されている。
【００１８】
回転盤２の各孔１４に計量カップ１５が設置されている。計量カップ１５は第１カップ１６と第２カップ１７からなる。第１カップ１６は円筒形の筒状部１６ａと上端の水平なフランジ部１６ｂからなり、筒状部１６ａが孔１４に嵌め込まれ、フランジ部１６ｂが回転盤２の段差部２ａに嵌め込まれて、回転盤２に固定されている。フランジ部１６ｂの上面は回転盤２の上面と面一とされている。第２カップ１７は円筒形の筒状部１７ａと下端の水平なフランジ部１７ｂからなり、筒状部１７ａは第１カップ１６の筒状部１６ａの外周に嵌り、筒状部１６ａの外周に沿って上下に摺動可能で、上下方向の位置が調整できるようになっている。第２カップ１７のフランジ部１７ｂは、第１カップ１６のフランジ部１６ｂと流出口１２の関係と同じく、その下面が固定盤３の上面に摺動するか、同上面とごく狭い隙間（粒状物が入らない程度の隙間）を有するように配置されている。
【００１９】
固定盤３には、前記回転軸１３を中心とする円に沿って、回転盤２の孔１４と同じ角度間隔（この例では４５°）で、上下に貫通する排出開口１８及び複数個（この例では４個）の排水口１９が形成され、各排水口１９は排出開口１８より回転盤２の回転方向の上流側に配置されている。各排水口１９は粒状物の通過を阻む大きさの多数の小孔１９ａからなる。回転盤２が停止したとき、流出口１２の直下に位置する計量カップ１５の直下に、排水口１９の１つ（最上流側の排水口１９）が位置し、当該計量カップ１５より回転盤２の回転方向の下流側に位置する４個の計量カップ１５の直下に、３つの排水口１９及び排出開口１８が位置する。
【００２０】
なお、回転盤２と固定盤３の間隔は調整可能とされ、また、先に述べたとおり、第２カップ１７の筒状部１７ａは、第１カップ１６の筒状部１６ａの外周に沿って上下に摺動可能で、上下方向の位置が調整できるようになっている。これにより、計量カップ１５の容積を変更することができる。例えば図２の状態から回転盤２と固定盤３の間隔を広げ（固定盤３の位置を下げる）、第２カップ１７の位置をその分だけ下げると、計量カップ１５の容積を大きくすることができる。
【００２１】
加圧エア供給装置５は、回転盤２の上に配置された平面視円弧状の加圧エア供給部材４と、加圧エア供給部材４に連結された複数個（この例では３個）のエア供給用継ぎ手２１と、各エア供給用継ぎ手２１にエアを供給する共通のエア供給パイプ２２と、エア供給パイプ２２に加圧エアを供給する加圧エア供給源２３、切替弁２４、及びこれらを連結する配管等からなる。加圧エア供給部材４は、タンク１の流出口１２より回転盤２の回転方向の下流側でかつ固定盤３の排出開口１８より上流側の範囲において、回転盤２の上を覆う平板状の部材であり、その下面が回転盤２の上面に摺動するか、同上面とごく狭い隙間（粒状物が入らない程度の隙間）を有するように、回転盤２の上に配置されている。エア供給部材４には、複数個（この例では３個）の通気部２５が形成され、各通気部２５にエア供給用継ぎ手２１が連結されている。各通気部２５には、粒状物の通過を阻む大きさの上下に貫通する多数の通気孔２５ａが形成されている。
【００２２】
粒状物排出装置６は、回転盤２の上（排出開口１８の上方位置）に設置され、所定のタイミングで鉛直方向に昇降する円柱状の押し込み杆（押し込み部材）２６と、押し込み部材２６を昇降駆動させる駆動源（例えばエアシリンダ）２７からなる。押し込み部材２６は、上昇したとき回転盤２より上方位置にあり、下降したとき排出開口１８の直上に停止した計量カップ１５内に嵌入して当該計量カップ１５内の粒状物を下方に排出する。押し込み部材２６を計量カップ１５内に嵌入させて粒状物を排出するとき、粒状物が計量カップ１５内に残留しないように、押し込み部材２６の外径は計量カップ１５の内径になるべく近い寸法とすることが好ましい。
【００２３】
注水装置９において、注水部材７はいわゆるシャワーボールであり、球状の全周面に注水用の小孔が形成され、タンク１内に貯留される粒状物の内部に位置するように、タンク１内の底（流出口１２）に近い箇所に配置されている。また、注水部材８はノズル状で、タンク１内に貯留される粒状物の上に配置され、下端の吐出口がタンク１内に向けられている。
注水装置９は、注水部材７，８のほか、タンク１の上方に設置されたモータ２８と、タンク１の中心に鉛直に配置され、上端がモータ２８に接続されて連続的に回転し、下端に注水部材７が固定され、内部が注水流路２９となっている中空のシャフト３１と、一端がシャフト３１の上端近傍に固定され、略水平に延びて他端に注水部材８が設置された支持部材３２と、注水部材７，８に水を供給するポンプ３３を備える。ポンプ３３は、配管３４及び注水流路２９を介して注水部材８に給水し、さらに注水流路２９に接続される配管３５を介して注水部材８に給水する。
【００２４】
上記回転式計量充填装置において、回転盤２が一回転する間に、回転盤２に設置された各計量カップ１５は８回停止する。回転盤２が停止したとき、計量カップ１５の１つがタンク１の流出口１２の直下に停止し、当該計量カップ１５の直下に固定盤３の排水口１９が位置している（図２参照）。この停止位置を１回目の停止位置（停止位置Ｉ）としたとき、２回目〜４回目の停止位置（停止位置ＩＩ〜ＩＶ）では、停止した各計量カップ１５の直上に加圧エア供給部材４の通気部２５が位置し、直下に固定盤３の排水口１９が位置している（図３参照）。そして、５回目の停止位置（停止位置Ｖ）では、停止した計量カップ１５の上方位置に押し込み部材２６が位置し、直下に固定盤３の排出開口１８が位置している（図４参照）。６〜８回目の停止位置（停止位置ＶＩ〜ＶＩＩＩ）では、停止した計量カップ１５内に粒状物が存在しない。
【００２５】
以下、回転盤２が一回転する間に行われる計量充填操作について、停止位置ごとに順次詳細に説明する。粒状物は、洗米後所定時間水に浸漬して水分を吸収した、表面が濡れたコメであるとする。
（停止位置Ｉ）
停止位置Ｉ（図２参照）では、計量工程が行われる。
停止位置Ｉに停止した計量カップ１５にタンク１内に貯留されたコメ３６（図３参照）が流入し充填される。タンク１内下部のコメは、注水部材７の全周面から噴射される水により、タンク１（流出口１２を含む）の周壁１１の内面に付着したり、中でブリッジを生じたりすることなく、水と共に流出口１２を通って計量カップ１５内に流入し、定量が計量カップ１５内に充填され、コメ３６と共に計量カップ１５内に入った水は、固定壁３の排水口１９から排出される。一方、タンク１内上部では、注水部材８が旋回しながらタンク１内に注水して内部のコメ３６（タンク内部のコメについては図示せず）に流動性を与え、コメ３６がタンク１の周壁１１の内面に付着したり、中でブリッジを生じたりするのを防止する。
続いて回転盤２が回転するとき、計量カップ１５に充填されたコメ３６は、計量カップ１５の上端（流出口１２の下端）ですり切りされ、計量工程が終了する。
【００２６】
（停止位置ＩＩ〜ＩＶ）
停止位置ＩＩ〜ＩＶ（図３参照）では、水切り（乾燥）工程が行われる。
停止位置ＩＩに停止した直後の計量カップ１５内のコメ３６には、表面に多量の水分が付着し、コメ粒同士の間にも多量の水分が保持されている。計量カップ１５が停止すると、上記水分が重力により固定盤３の排水口１９を通して排出され、コメ３６の水切りが行われる。特に上記回転式計量充填装置では、加圧エア供給部材４の通気部２５から加圧エアが吹き出し、計量カップ１５内に吹き込まれるため、水分の排出が積極的に行われ、重力のみで水切りする場合に比べ、水切りが促進されかつ安定する。なお、通気部２５の通気孔２５ａは小さく（コメの通過を阻む大きさ）、加圧エアにより計量カップ１５に充填されたコメ３６が外に飛散することはない。
停止位置ＩＩＩ，ＩＶでも同様の水切り工程が繰り返し行われ、計量カップ１５に充填されたコメは確実に安定して水切りされる（コメの表面に付着した水分量が、計量カップごとに大きく変動しない）。
【００２７】
（停止位置Ｖ）
停止位置Ｖ（図４参照）では、充填工程が行われる。
計量カップ１５が停止位置Ｖに停止すると、駆動源２７が作動して押し込み部材２６が下降し、計量カップ１５内に嵌入し、計量カップ１５内のコメ３６が下方に排出され、排出開口１８を通り、特許文献１〜４に示されているように、必要に応じてホッパー等（図示せず）を介し、下方に保持された袋等の容器（図示せず）内に充填される。停止位置Ｖでは、充填後の容器に対し、同位置に配置された包装機（図示せず）により開口（袋口）のシール等の各種包装処理が実施される。
（停止位置ＶＩ〜ＶＩＩＩ）
停止位置ＶＩ〜ＶＩＩＩでは計量充填操作は行われない。
【００２８】
次に、図５，６を参照して、図１の回転式計量充填装置において、さらに排水口１９から流下する水を受ける排水受け部材を固定盤３に設置した例を説明する。図５は、排水受け部材を前記計量工程が実施される箇所（停止位置Ｉ）に設置した例を示し、図６は、排水受け部材を前記水切り工程が実施される箇所（停止位置ＩＩ〜ＩＶ）に設置した例を示す。
図５において、排水受け部材４１は、タンク１の流出口１２の下方に位置する排水口１９の下に設置されている。排水受け部材４１はフランジ付きのカップ状の形態を有し、固定盤３の裏面に固定され、排水口１９を下方から覆い、前記フランジが固定盤３の裏面に密接している。排水受け部材４１は、下部に排水流出口４２を有し、排水流出口４２は配管４３を介して真空ポンプ（排水ポンプ）４４に連結されている。排水受け部材４１と真空ポンプ４４の間の配管には、排水口１９の小孔１９ａから水と共に流出したコメの細粒（充填時や計量時に擦れて砕かれたコメの細粒）を除去するためのフィルター４５が設置されている。
【００２９】
図６において、排水受け部材４１は、タンク１の流出口１２より下流側に位置する排水口１９の下に、前記と同様の形態で設置されている。タンク１の流出口１９より下流側に位置する排水口１９は、この回転式計量充填装置に複数箇所（この例では３箇所）存在するが、そのうち１箇所のみに設置してもよいし、複数箇所に設置してもよい。
なお、排水受け部材４１は、計量工程が実施される箇所又は水切り工程が実施される箇所のどちらかに設置することができ、若しくはその両方に設置することができる。また、排水受け部材４１を複数箇所に設置する場合、複数箇所の排水受け部材４１を共通の（１つの）真空ポンプ４４に連結してもよく、個々に別々の真空ポンプに連結してもよい。
【００３０】
排水受け部材４１を設置しない場合（図２参照）、停止位置Ｉでは、タンク１の流出口１２からコメと共に水が計量カップ１５内に流入し、排水口１９から流下し、回転式計量充填装置の床を濡らす。また、計量カップ１５内に流入する水の量が多いとき、一部が計量カップ１５と固定盤３の隙間から固定盤３の上に溢れ出し（この溢れ出しは停止位置ＩＩ〜ＩＶでも発生し得る）、計量工程後、回転盤２が回転すると、この水が包装機へ飛散し、容器（袋等）に付着して、シールが適切に行えない場合がある。
【００３１】
一方、停止位置Ｉに排水受け部材４１を設置した場合（図５参照）、真空ポンプ４４を作動させることで、計量カップ１５内に流入した水が、排水口１９を通って排水受け部材４１内に強制的に流下し、さらに排水流出口４２から配管４３を通って外部に排出される。このように計量カップ１５内の水が積極的に排出されることにより、固定盤３の上に計量カップ１５内の水が溢れ出るのが防止され、また、計量カップ１５内の水が排水口１９から直接床に流下することも防止される。さらに、真空ポンプ４４の作動により、計量カップ１５内及びタンク１内のコメが下向きに引き寄せられるため、コメが計量カップ１５内に充填されやすくなり、その結果、タンク１内の注水量を減らすことができる。
【００３２】
停止位置ＩＩ〜ＩＶに排水受け部材４１を設置した場合（図６参照）も、同様に、固定盤３の上に計量カップ１５内の水が溢れ出るのが防止され、排水口１９から水が直接床に流下することが防止される。さらに、計量カップ１５内のコメの水切りが促進される。
真空ポンプ４４の作動タイミングは、特に限定的ではないが、回転盤３が停止中に作動させ、回転盤３が回転する間は作動を停止させておくことが好ましい。これは、真空引きにより排水口１９の小孔１９ａにコメ粒が引きつけられ、その状態で回転盤３を回転させると、移動する計量カップ１５によりコメが砕かれる可能性があるためである。
【符号の説明】
【００３３】
１  タンク
２  回転盤
３  固定盤
４  加圧エア供給部材
７，８  注水部材
１２  流出口
１３  回転軸
１４  孔
１５  計量カップ
１８  排出開口
１９  排水口
２５  通気部
２６  押し込み部材
４１  排水受け部材
【図１】
2017030859.tif 000003
【図２】
2017030859.tif 000004
【図３】
2017030859.tif 000005
【図４】
2017030859.tif 000006
【図５】
2017030859.tif 000007
【図６】
2017030859.tif 000008